(57)【要約】［課題］本発明は、抗体に標識物質を結合させている標識化抗体を測定に用いる際に、標識化抗体が好適に分散している標識化抗体分散液、およびＳＰＦＳ用キットを提供することを課題とする。［解決手段］抗体分子の一部のジスルフィド結合を切断し、この切断により生じたチオール基に標識物質を結合させた標識化抗体と、非イオン性界面活性剤とを含む、標識化抗体分散液。【特許請求の範囲】
【請求項１】
抗体分子の一部のジスルフィド結合を切断し、この切断により生じたチオール基に標識物質を結合させた標識化抗体と、非イオン性界面活性剤とを含む、標識化抗体分散液。
【請求項２】
前記非イオン性界面活性剤が、ポリオキシエチレン系の界面活性剤である、請求項１に記載の標識化抗体分散液。
【請求項３】
前記非イオン系界面活性剤が、ポリオキシエチレンソルビタン脂肪酸エステル類またはポリオキシエチレンオクチルフェニルエーテル類である、請求項１または２に記載の標識化抗体分散液。
【請求項４】
試料に含まれる抗原を、表面プラズモン励起増強蛍光分光法（ＳＰＦＳ）で検出するための、請求項１〜３のいずれか一項に記載の標識化抗体分散液。
【請求項５】
標識化抗体分散液１００質量％中に、前記ポリオキシエチレンソルビタン脂肪酸エステル類またはポリオキシエチレンオクチルフェニルエーテル類を０．００１〜１質量％含む、請求項１〜４のいずれか一項に記載の標識化抗体分散液。
【請求項６】
前記標識物質が蛍光色素、蛍光ナノ粒子、凝集誘起発光性分子、酵素・補酵素、化学発光物質、または放射性物質である、請求項１〜５のいずれか一項に記載の標識化抗体分散液。
【請求項７】
前記抗体分子が抗トロポニンＩ（ｃＴｎＩ）抗体、抗トロポニンＴ（ｃＴｎＴ）抗体、抗ＢＮＰ抗体、または、抗Ｄ−ｄｉｍｅｒ抗体である、請求項１〜６のいずれか一項に記載の標識化抗体分散液。
【請求項８】
請求項１〜７のいずれか１項に記載の標識化抗体分散液と、表面プラズモン励起増強蛍光分光法（ＳＰＦＳ）専用のセンサーチップとからなる、ＳＰＦＳ用キット。
【発明の詳細な説明】
【技術分野】
【０００１】
本発明は、標識化抗体分散液、およびＳＰＦＳ用キットに関する。
【背景技術】
【０００２】
医療やバイオテクノロジー等の分野では、早期に疾患を発見するために、ヒトや動物の血液、尿、その他の生体試料（検体）に含まれるバイオマーカー（例えば、特定のタンパク質などの抗原）を検出、定量するための研究が広く行われている。【０００３】
一般的に、検体に含まれるバイオマーカーは極微量であり、臨床現場におけるその検出には精確性も要求される。そこで、バイオマーカーの精確な検出および定量を行うための免疫測定法が研究されている。【０００４】
免疫測定法は、抗原（バイオマーカー）を補足するための抗体、および抗原を検出するための標識物質と抗体を結合させた抗体（本発明では、標識化抗体とも記す）を用いるサンドイッチアッセイや、放射性物質による標識を用いるラジオアッセイなどが広く実施されており、特に、サンドイッチアッセイは極微量の抗原の検出に優れることから、バイオマーカーを検出、定量する上で、有用な方法となっている。【０００５】
サンドイッチアッセイを用いたバイオマーカー検出法の一つとして、リガンドとアナライトの結合を利用した表面プラズモン共鳴現象を応用し、高精度にアナライト検出を行える手法である、表面プラズモン励起増強蛍光分光法（ＳＰＦＳ；Ｓｕｒｆａｃｅ  Ｐｌａｓｍｏｎ−ｆｉｅｌｄ  ｅｎｈａｎｃｅｄ  Ｆｌｕｏｒｅｓｃｅｎｃｅ  Ｓｐｅｃｔｒｏｓｃｏｐｙ）が挙げられる。【０００６】
ＳＰＦＳは、リガンドを固定したセンサーチップを用いて、リガンドと結合する物質であるアナライトを定量する方法である。ＳＰＦＳでは、光源より照射したレーザー光などの励起光が、センサーチップ上の金属薄膜表面で減衰全反射（ＡＴＲ；ａｔｔｅｎｕａｔｅｄ  ｔｏｔａｌ  ｒｅｆｌｅｃｔａｎｃｅ）する条件において、金属薄膜表面に表面プラズモン光（粗密波）を発生させ、励起光が有するフォトン量を数十倍〜数百倍に増やすという表面プラズモン光（局在場光）の電場増強効果が利用されている。【０００７】
ＳＰＦＳを用いたサンドイッチアッセイの一様態においては、アナライトに特異的に結合するリガンド（例えば抗体）を固定したセンサーチップ上の金属薄膜にアナライト（例えば抗原）を接触させることによりセンサーチップにアナライトを捕捉させる。さらに当該アナライトに特異的に結合する、蛍光物質で標識した抗体（標識化抗抗体であって該標識物質が蛍光物質であるもの。以下、蛍光標識化抗体とも称する）を接触させる。リガンドによりセンサーチップ上の金属薄膜に捕捉されたアナライトに結合した蛍光標識化物質の蛍光物質は、増強された局在場光により効率良く励起するため、この蛍光物質に由来する蛍光シグナルを検出することによって、極微量かつ極低濃度のアナライトを検出することができる。【０００８】
上述のようにＳＰＦＳを用いて、生体試料に含まれる極微量の抗原を定量するためには、アナライト(抗原）と、蛍光標識化抗体とを効率よく正確に反応させる必要がある。そのためには蛍光標識化抗体の品質が重要となり、特に一定の期間保存した後にも抗体活性が保たれる、保存安定性が高いものが求められている。【０００９】
これまで、ポリオキシエチレン（ＰＯＥ）ソルビタンおよびポリエチレングリコール（ＰＥＧ）を用いて抗体等のタンパク質含有製剤中におけるタンパク質凝集を防ぐための研究がなされていた（例えば、特許文献１）が、当該文献で行われているのは標識化されていない通常の抗体についての研究であり、また、その凝集抑制効果は十分ではなかった。また、当該文献において標識化抗体についての研究はなされていない。
【先行技術文献】
【特許文献】
【００１０】
【特許文献１】特表２０１３−５２７８３２号公報
【発明の概要】
【発明が解決しようとする課題】
【００１１】
本発明者らは抗体分子に含まれるジスルフィド結合を切断することで生じたチオール基に標識物質を結合させた標識化抗体について鋭意検討を行った。その結果そのような標識化抗体は、抗体の立体構造の維持に重要なジスルフィド結合の切断によって立体構造が不安定となるため分散液とした場合に凝集や沈殿が起こりやすく、そのため通常の抗体を分散させた分散液と比べて保存安定性が低いことを見出した。【００１２】
本発明は、このような現状に鑑み、標識化抗体が好適に分散している標識化抗体分散液、および当該分散液を含むＳＰＦＳ用キットを提供することを課題とする。
【課題を解決するための手段】
【００１３】
すなわち、本発明は、例えば下記［１］〜［８］に示される標識化抗体分散液およびＳＰＦＳ用キットを提供する。
［１］抗体分子の一部のジスルフィド結合を切断し、この切断により生じたチオール基に標識物質を結合させた標識化抗体と、非イオン性界面活性剤とを含む、標識化抗体分散液。［２］前記非イオン性界面活性剤が、ポリオキシエチレン系の界面活性剤である、［１］に記載の標識化抗体分散液。
［３］前記非イオン系界面活性剤が、ポリオキシエチレンソルビタン脂肪酸エステルまたはポリオキシエチレンオクチルフェニルエーテルである、［１］または［２］に記載の標識化抗体分散液。
［４］試料に含まれる抗原を、表面プラズモン励起増強蛍光分光法（ＳＰＦＳ）で検出するための、［１］〜［３］のいずれか１つに記載の標識化抗体分散液。
［５］標識化抗体分散液１００質量％中に、前記ポリオキシエチレンソルビタン脂肪酸エステル類またはポリオキシエチレンオクチルフェニルエーテル類を０．００１〜１質量％含む、［１］〜［４］のいずれか１つに記載の標識化抗体分散液。
［６］前記標識物質が蛍光色素、蛍光ナノ粒子、凝集誘起発光性分子、酵素・補酵素、化学発光物質、または放射性物質である、［１］〜［５］のいずれか１つに記載の標識化抗体分散液。
［７］前記抗体分子が抗トロポニンＩ（ｃＴｎＩ）抗体、抗トロポニンＴ（ｃＴｎＴ）抗体、抗ＢＮＰ抗体、または、抗Ｄ−ｄｉｍｅｒ抗体である、［１］〜［６］のいずれか１つに記載の標識化抗体分散液。
［８］［１］〜［７］のいずれか１つに記載の標識化抗体分散液と、表面プラズモン励起増強蛍光分光法（ＳＰＦＳ）専用のセンサーチップとからなる、ＳＰＦＳ用キット。
【発明の効果】
【００１４】
本発明によれば、保存安定性の高い標識化抗体分散液およびＳＰＦＳ用キットを提供することができる。
【図面の簡単な説明】
【００１５】
【図１】図１は、標識化抗体分散液中の界面活性剤の違いによる初期性能を比較した結果を示すグラフである。縦軸にＳ／Ｎ比を示し、横軸に界面活性剤の種類を示す。
【図２】図２は、標識化抗体分散液中の界面活性剤の違いによる保存性を比較した結果を示すグラフである。縦軸に３０℃で５日間保存後のブランク上昇率（％）を示し、横軸に界面活性剤の種類を示す。
【図３】図３は、実施例３−１、比較例３−１における標識化抗体分散液を４℃で０〜２９日保存した場合のブランク値の変動率（％）を示した図である。縦軸にブランク値の変動率（％）を示し、横軸に保存日数を示す。
【図４】図４は、実施例３−２、比較例３−２における標識化抗体分散液を４℃で０〜２９日保存した場合のシグナル値の変動率（％）を示した図である。縦軸にシグナル値の変動率（％）を示し、横軸に保存日数を示す。
【図５】図５は、実施例３−３、比較例３−３における標識化抗体分散液を３０℃で０〜２９日保存した場合のブランク値の変動率（％）を示した図である。縦軸にブランク値の変動率（％）を示し、横軸に保存日数を示す。
【図６】図６は、実施例３−４、比較例３−４における標識化抗体分散液を３０℃で０〜２９日保存した場合のシグナル値の変動率（％）を示した図である。縦軸にシグナル値の変動率（％）を示し、横軸に保存日数を示す。
【発明を実施するための形態】
【００１６】
次に本発明について具体的に説明する。
≪標識化抗体分散液≫
本発明の標識化抗体分散液は、抗体分子の一部のジスルフィド結合（−Ｓ−Ｓ−）を切断し、この切断により生じたチオール基（−ＳＨ  ＨＳ−）に標識物質を結合させた標識化抗体と、非イオン性界面活性剤とを含む、標識化抗体分散液である。
【００１７】
本発明の標識化抗体分散液は、サンドイッチアッセイ等の免疫測定を行う際に用いることができる。
【００１８】
サンドイッチアッセイとは、ウェルプレートやセンサーチップ等の測定領域に、あらかじめ検出対象物質に特異的に結合する物質を固相化しておき、検出対象物質を捕捉した後、続いて、検出対象物質に特異的に結合する物質に、標識物質を結合させた標識化物質を用いて検出する方法である。例えばサンドイッチアッセイの一様態として、検出対象物質としてタンパク質（抗原）、検出対象物質に特異的に結合する物質として当該検出対象物質に対する抗体、標識化物質として標識化抗体を用いて行うサンドイッチイムノアッセイが挙げられる。
【００１９】
例えば前記サンドイッチイムノアッセイの具体例として、抗原が心筋トロポニンＩ（ｃＴｎＩ）である場合には、固相化しておく抗体としては、抗心筋トロポニンＩ抗体（抗ｃＴｎＩ抗体）を用いることができる。また、標識化抗体としては、抗ｃＴｎＩ抗体に標識物質を結合させた標識化抗体を用いることができる。この場合補足物質として用いる抗ｃＴｎＩ抗体と標識化抗体に用いる抗ｃＴｎＩ抗体とは、それぞれｃＴｎＩ上の異なるエピトープを認識する抗体であることが好ましい。
【００２０】
また、標識化抗体は、必ずしも一次抗体である必要は無く、二次抗体、三次抗体等のｎ次抗体であってもよい（ｎは２以上の整数、好ましくは２〜４の整数である）。例えば標識化抗体として二次抗体を用いる場合においては、該標識化抗体は抗ｃＴｎＩ抗体を特異的に認識する坑ＩｇＧ抗体であることが好ましい。
【００２１】
上記サンドイッチアッセイの一様態として、例えば極微量の検出対象物質（抗原）を検出する場合によく行われる、ＳＰＦＳ法のような蛍光測定方法が挙げられる。ＳＰＦＳ法による測定の一様態としては、センサーチップの測定領域表面において補足物質により捕捉した検出対象物質を蛍光標識化して、その蛍光シグナルを検出することで抗原を測定する。このような蛍光標識化には、蛍光物質と抗体が結合した蛍光標識化抗体を用いることがある。このような蛍光標識化抗体の分散液を、本明細書では蛍光標識化抗体分散液と記す。
【００２２】
本発明者らは、抗体分子の一部のジスルフィド結合を切断し、この切断により生じたチオール基に標識物質を結合させた標識化抗体は、非イオン性界面活性剤に分散させることで、標識化抗体からの標識物質の脱落、標識化抗体の断片化やその、凝集、沈殿、酸化、変性等が起こりにくくなり、その結果ＳＰＦＳ法による測定でのブランク値の上昇が抑制されることを見出した。
【００２３】
本発明の標識化抗体分散液は、４℃で２９日間保存、または３０℃で１４日間保存した際、保存の前後におけるＳＰＦＳ法による測定におけるシグナル値の変動率が±２０％以内となることが好ましい。
【００２４】
ここで、シグナル値とは、例えば、ＳＰＦＳ法のような蛍光測定方法を行う際、検出対象物質（抗原）が含まれる検体を測定して得られる蛍光量の値である。一方、ブランク値とは、検出対象物質（抗原）が含まれない検体を測定して得られる蛍光量の値である。
【００２５】
本発明の標識化抗体分散液の媒体は、緩衝液であることが、ｐＨ安定化の観点から好ましい。緩衝液である場合には、酢酸緩衝液、リン酸緩衝液、トリス緩衝液、ＨＥＰＥＳ緩衝液、クエン酸緩衝液、クエン酸リン酸緩衝液、ホウ酸緩衝液等が挙げられる。緩衝液としては、リン酸緩衝液、トリス緩衝液、ＨＥＰＥＳ緩衝液の中でも、体液とほぼ等張のリン酸緩衝生理食塩水（ＰＢＳ）、トリス緩衝生理食塩水（ＴＢＳ）、ＨＥＰＥＳ緩衝生理食塩水が好ましい。
【００２６】
本発明の標識化抗体分散液は、金属塩を含んでいてもよい。金属塩としては例えば、塩化ナトリウム、塩化カリウムが、測定対象となり得る血液等に含まれる成分であるため好ましい。
【００２７】
本発明の標識化抗体分散液は、標識化抗体を０．５〜１０μｇ／ｍＬで含むことが好ましく、１．０〜５．０μｇ／ｍＬで含むことがより好ましい。
【００２８】
〈標識化抗体〉
本発明の標識化抗体分散液は、標識物質と抗体が結合した標識化抗体を含む。前記標識化抗体は、抗体分子の一部のジスルフィド結合を切断し、この切断により生じたチオール基に標識物質を結合させた標識化抗体を含む。
【００２９】
本発明で用いられる標識化抗体は、抗体のジスルフィド結合のうち、抗体の立体構造を維持するために重要な一部のジスルフィド結合を切断することで生じたチオール基に標識物質を結合させた、標識化抗体を含む。本発明者らは、前記のような標識化抗体は立体構造が不安定なことから、断片化したり、軽鎖および標識物質が脱落したりすることで、凝集や沈殿を引き起こすことを見出した。本発明で用いられる標識化抗体は、通常は抗体のヒンジ部を構成するジスルフィド結合が切断されることにより生じたチオール基と、標識物質とが結合していることが好ましい。また、ヒンジ部以外のジスルフィド結合が切断されたチオール基と、標識物質とが結合したものであってもよい。
【００３０】
なお、標識物質が後述する蛍光色素等、蛍光を発光する物質である場合、標識物質を蛍光標識物質と称することもある。
（標識物質）
本発明で用いられる標識物質は、上述するような抗体分子のジスルフィド結合に由来するチオール基に結合可能な官能基を有しているもの、または適宜公知の方法で官能基が導入されているものを、検出の目的にあわせて用いればよく、例えば、蛍光色素、蛍光ナノ粒子、凝集誘起発光性分子、酵素・補酵素、化学発光物質、もしくは放射性物質を用いることができる。
【００３１】
本発明で用いられる標識物質は、反応ステップを少なくできる観点から、蛍光色素および蛍光ナノ粒子が好ましい。前記蛍光色素および蛍光ナノ粒子は、所定の励起光の照射または電界効果を利用して励起することによって蛍光を発光する物質を含むことが好ましい。ここで、蛍光は、広義的な意味を持ち、発光が持続する発光寿命の比較的長い燐光と、発光寿命が比較的短い狭義の蛍光とを包含する。
【００３２】
前記蛍光色素等については、その種類に特に制限はない。
【００３３】
例えば、蛍光色素としては、Ａｌｅｘａ  Ｆｌｕｏｒ（登録商標）色素シリーズ（インビトロジェン(株)）、フルオレセイン・ファミリーの蛍光色素（Integrated DNA Technologies社）、ポリハロフルオレセイン・ファミリーの蛍光色素（アプライドバイオシステムズジャパン(株)）、ヘキサクロロフルオレセイン・ファミリーの蛍光色素（アプライドバイオシステムズジャパン(株)）、クマリン・ファミリーの蛍光色素（インビトロジェン(株)）、ローダミン・ファミリーの蛍光色素（ＧＥヘルスケア  バイオサイエンス(株)）、シアニン・ファミリーの蛍光色素、インドカルボシアニン・ファミリーの蛍光色素、オキサジン・ファミリーの蛍光色素、チアジン・ファミリーの蛍光色素、スクアライン・ファミリーの蛍光色素、キレート化ランタニド・ファミリーの蛍光色素、ＢＯＤＩＰＹ（登録商標）・ファミリーの蛍光色素（インビトロジェン(株)）、ナフタレンスルホン酸・ファミリーの蛍光色素、ピレン・ファミリーの蛍光色素、トリフェニルメタン・ファミリーの蛍光色素などの有機蛍光色素が挙げられる。
【００３４】
また、蛍光色素は、上記有機蛍光色素に限られない。例えば、Ｅｕ、Ｔｂ等の希土類錯体系の蛍光体も用いることができる。希土類錯体は、一般的に励起波長（３１０〜３４０ｎｍ程度）と発光波長（Ｅｕ錯体で６１５ｎｍ付近、Ｔｂ錯体で５４５ｎｍ付近）との波長差が大きく、蛍光寿命が通常数百マイクロ秒以上と比較的長いという特徴がある。市販されている希土類錯体系の蛍光体の一例としては、ＡＴＢＴＡ−Ｅｕ3+が挙げられる。
【００３５】
また、例えば、ＩＩ−ＶＩ族化合物、ＩＩＩ−Ｖ族化合物、またはＩＶ族元素を成分として含有する半導体ナノ粒子や、半導体ナノ粒子をコアとし、その周囲にシェルを設けたコアシェル型の半導体ナノ粒子を用いることもできる。
【００３６】
また、前記蛍光ナノ粒子は、ナノサイズの（直径が１μｍ以下の）粒子状の蛍光体で、１粒子で十分な輝度の蛍光を発することのできるものであれば特に制限なく用いることができる。典型的には、有機物または無機物でできた粒子を母体とし、複数の蛍光体（有機蛍光色素や半導体ナノ粒子）がその中に内包されているおよび／またはその表面に吸着している構造を有する、ナノサイズの粒子である。
【００３７】
例えば、蛍光ナノ粒子としては、有機蛍光色素集積ナノ粒子および無機蛍光体(半導体）集積ナノ粒子等が挙げられる。
【００３８】
また、前記凝集誘起発光性分子は、凝集して集合体を形成することで量子収率が上がることで強い蛍光を発する、または蛍光強度を増すという性質を有する蛍光物質であれば特に制限なく用いることができる。
【００３９】
例えば、凝集誘起発光性分子としては、マレイミド系凝集誘起発光性分子、アミノベンゾピラノキサンテン（ＡＢＰＸ）系凝集誘起発光性分子、ベンゾフロ・オキサゾロ・カルバゾール系凝集誘起発光性分子、カルボラン系凝集誘起発光性分子、ローダミン系凝集誘起発光性分子、テトラフェニルエチレン系凝集誘起発光性分子、シロール系凝集誘起発光性分子、芳香環含有金属錯体系化合物、ＢＯＤＩＰＹ系ホウ素イミン錯体凝集誘起発光性分子、その他のヘテロ化合物などが挙げられる。
【００４０】
なお、例えば、血液(全血）を検体として分析に供する場合は、血液中の血球成分由来の鉄による吸光の影響を最小限に抑えるため、Ａｌｅｘａ  Ｆｌｕｏｒ  ６４７（インビトロジェン（株））など、近赤外領域に最大蛍光波長を有する蛍光色素や蛍光ナノ粒子、凝集有機発光性分子等を用いることが望ましい。
（抗体）
本発明で用いられる抗体は、検体中に含有される抗原を特異的に認識して抗原に結合し得る抗体または抗体断片であればよく、用途に応じて適宜選択される。例えば、天然のポリクローナル抗体またはモノクローナル抗体、遺伝子組換えにより得られるリコンビナント抗体、およびそれらの断片などが挙げられる。
【００４１】
例えば、心筋梗塞等のバイオマーカーとして利用することができるトロポニンＩ（ｃＴｎＩ）、トロポニンＴ（ｃＴｎＴ）、ＣＫ−ＭＢ、ミオグロビン、Ｈ−ＦＡＢＰ，ＢＮＰ、ＮＴ−ｐｒｏＢＮＰ、Ｄ−ｄｉｍｅｒ等を検出対象物質（抗原）とする場合は、それらを特異的に認識して結合する抗体を用いることができる。
(標識化抗体の作成方法)
本発明で用いられる標識化抗体は、標識物質と抗体とが結合している標識化抗体である。
【００４２】
具体的には、例えば、前記抗体のいずれかに対して、通常は後述する還元処理により抗体分子の一部のジスルフィド結合（−Ｓ−Ｓ−）を切断し、切断されたジスルフィド結合から生じた二つのチオール基（−ＳＨ  ＨＳ−）に標識物質を結合させて標識化抗体を作成することができる。
【００４３】
抗体のジスルフィド結合を切断するために用いることが可能な還元剤としては、２−メルカプトエタノール、３−メルカプト−１，２−プロパンジオール、グルタチオン（γ−Ｌ−グルタミル−Ｌ−システイニルグリシン）、トリス（２−カルボキシエチル）ホスフィン塩酸塩およびシステイン、２−メルカプトエチルアミン等が挙げられる。
【００４４】
前記還元処理された抗体と標識物質との結合は、緩衝液中で混合して行うことができる。その際に用いる緩衝液は、上述の標識化抗体分散液の媒体として用いられ得る緩衝液を使用することができる。
【００４５】
また、本発明で用いられる標識化抗体は、一般的な免疫測定法でも用いられている蛍光物質と抗体との複合体（コンジュゲート）と同様に作製することもでき、例えば、市販のキット（例えば、Ａｌｅｘａ  Ｆｌｕｏｒ  タンパク質標識キット、インビトロゲン社）を用いて、添付のプロトコルに従い、蛍光物質に導入されている官能基と抗トロポニン抗体が有する官能基とを所定の試薬の存在下で反応させることにより、蛍光物質−抗トロポニン抗体の標識化抗体を作製することができる。
【００４６】
(非イオン界面活性剤）
本発明の標識化抗体分散液は、前記標識化抗体を分散させた非イオン性界面活性剤を含む分散液である。
【００４７】
本発明の標識化抗体分散液は、非イオン性界面活性剤を０．００１〜１質量％含むことが好ましく、０．０５〜０．５質量％含むことがより好ましく、０．１〜０．３質量％含むことが特に好ましい。
【００４８】
前記非イオン性界面活性剤としては、ポリオキシエチレン系の界面活性剤が好ましく、ポリオキシエチレンソルビタン脂肪酸エステル類またはポリオキシエチレンオクチルフェニルエーテル類がより好ましい。
【００４９】
前記ポリオキシソルビタン脂肪酸エステルとしては、Ｔｗｅｅｎ（登録商標）２０、Ｔｗｅｅｎ（登録商標）４０、Ｔｗｅｅｎ（登録商標）６０、Ｔｗｅｅｎ（登録商標）６５、Ｔｗｅｅｎ（登録商標）８０、Ｔｗｅｅｎ（登録商標）８５等があり、特に、親水性が高いという特性からＴｗｅｅｎ（登録商標）２０が好ましい。
【００５０】
前記ポリオキシエチレンオクチルフェニルエーテルとしては、Ｔｒｉｔｏｎ（登録商標）Ｘ−１００、Ｔｒｉｔｏｎ（登録商標）Ｘ−１１４、Ｔｒｉｔｏｎ（登録商標）Ｘ−４０５等があり、特に、従来から免疫反応を用いた各種アッセイにおいて一般的に用いられていることから、Ｔｒｉｔｏｎ（登録商標）Ｘ−１００が好ましい。
【００５１】
本発明者らは、標識化抗体分散液に非イオン性界面活性剤を含有させることにより、標識化抗体の周りに非イオン性界面活性剤が集まることで標識化抗体の酸化や変性が起こりにくくなり、保存安定性が高まると推察した。また、非イオン界面活性剤を前記範囲内の濃度で含有すると、標識化抗体の変性や断片化を抑制することが可能であり、凝集や沈殿等をより効果的に防止することができ、保存時の安定性が一層高まることを見出した。
【００５２】
（検体）
本発明の標識化抗体分散液は、検出対象物質（抗原）を含む可能性のある検体についてサンドイッチイムノアッセイ等の免疫測定を行う際に用いることができる。
【００５３】
前記検体は、現実に検出対象物質を含む検体であってもよいし、現実には検出対象物質を含まない検体であってもよい。また、検体を採取する対象は、典型的にはヒトであるが、ヒトの疾患のモデル動物、例えばマウス、ラット、モルモット、ウサギ、ヤギ、ネコ、イヌ、ブタ、サルといったヒト以外の哺乳動物であってもよい。
【００５４】
検体としては、例えば、血液、尿、髄液、唾液、細胞、組織、もしくは器官、またはそれらの調製物（例えば、生検標本）等の生体由来物質を挙げることができる。特に血液や尿は、診断マーカーとして利用できる糖タンパク質を含む可能性が高い検体であるため、本発明において用いられる検体として好ましい。
【００５５】
血液、血清、血漿、尿、髄液、または唾液などの液性の検体は、そのまま検体として使用してもよく、適当な検体希釈用液により適宜希釈したものを検体として使用してもよい。また、細胞、組織、または器官などの固形または半固形の検体は、検体の体積の２〜１０倍程度の適当な緩衝液でホモジェナイズした懸濁液、またはその上清を、そのまま、またはさらに検体希釈用液で希釈したうえで、検体として使用することができる。
【００５６】
実施形態の好適な一例では、血液を検体とする。ここで血液は、全血であってもよいし、全血から公知の手法で調製された血清または血漿であってもよい。例えば、測定を迅速に行うことを目的とする場合は全血を検体として用いることが好ましく、正確な定量を目的とする場合は、全血から遠心分離等により血球成分を除去し、血清、あるいは血漿を調製してから検体として用いることが好ましい。採血時には通常全血に抗凝固剤が添加されることが好ましく、また、全血、血清および血漿を検体として利用する際には、当該全血等を適切な濃度に希釈したり、必要な試薬等を添加したりすることが好ましい。そのため、本発明において用いる検体には必要に応じてそのような抗凝固剤、その他の試薬等が添加されていてもよい。
【００５７】
（抗原）
本明細書においては、検体に含まれる検出対象物質であるタンパク質のことを抗原と記す。
【００５８】
例えば、心筋梗塞等のバイオマーカーとして利用することができるトロポニンＩ（ｃＴｎＩ）、トロポニンＴ（ｃＴｎＴ）、ＣＫ−ＭＢ、ミオグロビン、Ｈ−ＦＡＢＰ、ＢＮＰ、ＮＴ−ｐｒｏＢＮＰ、Ｄ−ｄｉｍｅｒ等が抗原として好ましく選択されることができる。これらを抗原として検出を行う場合は、それらを含み得る検体を用いることができ、また、検体中の抗原の量をより精確に測定する目的においては市販の標準抗原をコントロールとして用いることもできる。
【００５９】
（表面プラズモン励起増強蛍光分光法（ＳＰＦＳ））
ＳＰＦＳは、リガンドを固定したセンサーチップを用いて、リガンドと結合する物質であるアナライトを定量する方法である。
【００６０】
ＳＰＦＳを用いたサンドイッチアッセイにおいては、アナライトに特異的に結合するリガンド（例えば抗体）を固定したセンサーチップ上の金属薄膜にアナライト（抗原）を接触させることによりセンサーチップにアナライトを捕捉させ、さらに当該アナライトに特異的に結合する、蛍光物質で標識した抗体（標識化抗体であって該標識物質が蛍光物質であるもの。以下、蛍光標識化抗体とも称する）を接触させる。リガンドとして用いる抗体と蛍光標識化抗体に用いられる抗体とは共にアナライトに特異的に結合する抗体を選択する必要があるが、それぞれアナライトの異なるエピトープを認識する抗体を選択することが好ましい。
【００６１】
本発明の実施形態の好適な一例としては、例えば、検体に含まれ得る検出対象物質(アナライト）として心筋梗塞等のバイオマーカー（例えばｃＴｎＩ）を選択し、センサーチップ上に固定したリガンドとして当該バイオマーカーに特異的に結合する抗体（例えば坑ｃＴｎＩ抗体）を選択し、さらに蛍光標識化抗体として本発明の標識化抗体分散液に分散させた蛍光標識した坑ｃＴｎＩ抗体を用いてＳＰＦＳを行うことで検体中のアナライトの量を測定することが挙げられる。
【００６２】
≪ＳＰＦＳ用キット≫
本発明のＳＰＦＳ用キットは、標識化抗体分散液とＳＰＦＳ専用のセンサーチップとからなる。本発明のＳＰＦＳ用キットは、前述のサンドイッチイムノアッセイ等の免疫測定を行う際に用いることができる。
【００６３】
キットを構成する標識化抗体分散液とセンサーチップの使用方法としては、表面プラズモン励起増強蛍光分光法（ＳＰＦＳ）専用のセンサーチップを、ＳＰＦＳ法による測定装置にセットし、標識化抗体分散液を用いて、目的の検出対象物質（抗原）を検出することができる。
【００６４】
より具体的には、例えば、ｃＴｎＩを検出対象物質（抗原）とする場合、測定領域にカルボキシメチルデキストラン（ＣＭＤ）で親水性高分子層を形成し、そこに抗ｃＴｎＩ  ＩｇＧモノクローナル抗体を固定した表面プラズモン励起増強蛍光分光法（ＳＰＦＳ）専用のセンサーチップをＳＰＦＳ測定装置にセットし、蛍光標識化抗体分散液を用いて、ｃＴｎＩを検出することができる。
【００６５】
（センサーチップ）
本発明で用いる、ＳＰＦＳ専用のセンサーチップは、透明支持体上の金属薄膜表面に抗体が固相化されたセンサーチップであることが好ましく、この場合、固相化された抗体を、固相化抗体とも称する。抗体を固相化する方法としては、金属薄膜表面に親水性高分子層を形成させ、その箇所に適当な濃度に調製した抗体を反応させる方法などが挙げられる。センサーチップ上に固相化する抗体は、検出対象物質である抗原に対して適宜選択する。
【実施例】
【００６６】
次に本発明について実施例を示してさらに詳細に説明するが、本発明はこれらによって限定されるものではない。【００６７】
〔作製例１〕
≪ＳＰＦＳ用センサーチップの調製≫
屈折率〔ｎｄ〕１．７２、厚さ１ｍｍのガラス製の透明支持体（株式会社オハラ製：Ｓ−ＬＡＬ  １０）をプラズマ洗浄し、該支持体の片面にクロム薄膜をスパッタリング法により形成した後、その表面にさらにスパッタリング法により金属部材である金薄膜を形成した。クロム薄膜の厚さは１〜３ｎｍ、金薄膜の厚さは４２〜４７ｎｍであった。【００６８】
こうして金薄膜が形成された支持体を、１ｍＭに調製した１０−アミノ−１−デカンチオールのエタノール溶液１０ｍＬに２４時間浸漬し、金薄膜表面に測定領域を形成した。その後、当該支持体をエタノール溶液から取り出し、エタノールおよびイソプロパノールでそれぞれ洗浄した後、エアガンを用いて乾燥させた。【００６９】
≪抗体の固相化≫
分子量５０万のカルボキシメチルデキストラン（ＣＭＤ）を１ｍｇ／ｍＬ、Ｎ−ヒドロキシコハク酸イミド（ＮＨＳ）  ０．５ｍＭ、水溶性カルボジイミド（ＷＳＣ）  １ｍＭを含むｐＨ７．４のＭＥＳ緩衝生理食塩水（ＭＥＳ）（イオン強度：１０ｍＭ）に、前記測定領域を形成した支持体を１時間浸漬し、測定領域にＣＭＤを固相化して親水性高分子層を形成した。その後１ＭのＮａＯＨ水溶液に３０分間浸漬することでコハク酸エステルを加水分解させた。ＣＭＤ層の平均膜厚は７０ｎｍであり、密度は５．０ｎｇ／ｍｍ2であった。【００７０】
続いて、前記支持体を、ＮＨＳを５０ｍＭと、ＷＳＣを１００ｍＭとを含むＭＥＳに１時間浸漬させた後に、抗ｃＴｎＩ  ＩｇＧ１モノクローナル抗体（５６０；２．５μｇ／ｍＬ、Ｈｙｔｅｓｔ社製）溶液に３０分間浸漬することで、支持体上の測定領域に抗体を固相化した。以下、当該抗体を固定化した測定領域も測定領域と称する。【００７１】
さらに、１質量％の牛血清アルブミン（ＢＳＡ）および１Ｍのアミノエタノールを含むＰＢＳにて３０分間循環送液することで、測定領域への非特異的吸着防止処理を行なった。【００７２】
〔実験例１〕
実施例１および比較例１
≪標識化抗体分散液の調製≫
以下の手法で蛍光標識化抗体を作成した。【００７３】
室温で抗ｃＴｎＩ  ＩｇＧモノクローナル抗体（１９Ｃ７；Ｈｙｔｅｓｔ社製）をリン酸緩衝生理食塩水（ＰＢＳ）に分散させて１ｍｇ／ｍＬに調製し、抗体分散液を得た。【００７４】
蛍光色素であるＣＦ（登録商標）６６０Ｒ（Ｂｉｏｔｉｕｍ社製）が入ったバイアルを室温にしておき、そこに無水ジメチルスルホキシド（ＤＭＳＯ）を加えて軽く撹拌して分散させ、１０ｍＭに調製した。その後、短時間の遠心分離をして溶け残ったＣＦ（登録商標）６６０Ｒをバイアル底に集め、上清を回収することで蛍光色素分散液を得た。【００７５】
続いて、前記抗体の還元処理を行った。ＰＢＳで１０ｍＭに調製したＴＣＥＰ（トリス（２−カルボキシエチル）ホスフィン）塩酸塩溶液を前記抗体分散液に添加した。この際、モル比で前記抗体分散液１に対して、ＴＣＥＰ塩酸塩溶液１０等量で混合し、室温で３０分間撹拌して反応させた。【００７６】
その後、前記還元処理された抗体分散液１モルに対して、前記蛍光色素分散液１０モル等量を混合し、室温で２時間攪拌して反応させた。その後、反応しなかった抗体およびＣＦ（登録商標）６６０Ｒを限外濾過にて除去し、ＣＦ（登録商標）６６０Ｒ標識抗ｃＴｎＩ  ＩｇＧモノクローナル抗体（蛍光標識化抗ｃＴｎＩ抗体）分散液を得た。標識率は、２．７であった。なお、標識率は、ＮａｎｏＤｒｏｐ（サーモフィッシャーサイエンティフィック社製）の吸光光度計を用いて測定した、標識後の抗体濃度と色素濃度との比から算出した。また、ＳＰＦＳ法でも、標識率の確認を行った。【００７７】
上記の蛍光標識化抗ｃＴｎＩ抗体分散液の吸光度を測定して濃度を定量した後、異なった種類および濃度の界面活性剤を含むＰＢＳ溶液で希釈して、蛍光標識化抗ｃＴｎＩ抗体の濃度が５μｇ／ｍＬになるように調製した。以下、蛍光標識化抗ｃＴｎＩ抗体分散液を蛍光標識化抗体分散液と称する。【００７８】
各実施例および比較例における、蛍光標識化抗体分散液中の界面活性剤の種類と濃度は以下のとおりである。【００７９】
実施例１−１、１−２ではそれぞれ、非イオン性界面活性剤である、Ｔｗｅｅｎ２０（登録商標）（ナカライテスク株式会社製）が０．１５質量％、ＴｒｉｔｏｎＸ−１００（登録商標）（富士フイルム和光純薬工業株式会社製）が０．１５質量％含まれている蛍光標識化分散液を用いた。比較例１−１、１−２ではそれぞれ、両イオン性界面活性剤である、ＣＨＡＰＳ（３−［（３−コールアミドプロピル）ジメチルアンモニオ］−１−プロパンスルホナート、同仁化学研究所社製）が０．２質量％、ＣＨＡＰＳＯ（３−［（３−コラミドプロピル）ジメチルアンモニオ］−２−ヒドロキシ−１−プロパンスルホナート、(株）同仁化学研究所社製）が０．２質量％であった。比較例１―３では、陰イオン性界面活性剤である、ＳＤＳ（ドデシル硫酸ナトリウム、富士フイルム和光純薬工業株式会社製）が０．１質量％含まれている蛍光標識化分散液を用いた。【００８０】
表１に、各実施例および比較例で用いた界面活性剤の種類と濃度を示す。【００８１】
【表１】
2019182130.tif 000002
【００８２】
≪測定の実施≫
ＳＰＦＳ用センサーチップの測定領域に、市販のｃＴｎＩコントロール試薬（Ｂｉｏｒａｄ社製）を１１ｎｇ／Ｌ含むＰＢＳ溶液を送液した。続いて、当該ｃＴｎＩ溶液を除去した後、Ｔｗｅｅｎ２０を０．０５質量％含むトリス緩衝生理食塩水（ＴＢＳ）を送液し、１０分間循環させて洗浄した。その後、上記で調製した標識化抗体分散液５μｇ／ｍＬを含むＰＢＳ溶液を送液し、測定領域から除去した後、Ｔｗｅｅｎ２０を０．０５質量％含むトリス緩衝生理食塩水（ＴＢＳ）を送液して洗浄した。【００８３】
測定領域をＰＢＳ溶液で満たしてから、レーザー光を照射して蛍光量を測定した。この測定値をシグナル値（Ｓ）とした。【００８４】
一方、ｃＴｎＩを１１ｎｇ／Ｌ含むＰＢＳ溶液の代わりに、ｃＴｎＩを全く含まない（０ｎｇ／Ｌ）ＰＢＳ溶液を送液し、それ以外は上記と同様の手順で蛍光量を測定した。この測定値をブランク値（Ｎ）とした。
≪Ｓ／Ｎ比の算出≫
各標識化抗体分散液の初期性能を示す指標として、上述のように得られたシグナル値（Ｓ）およびブランク値（Ｎ）から下記式（Ｉ）を用いてＳ／Ｎ比を算出した。【００８５】
（ｃＴｎＩ濃度  １１ｎｇ／Ｌのシグナル値）／（ｃＴｎＩ濃度  ０ｎｇ／Ｌのブランク値）・・・式（Ｉ）
≪ブランク上昇率（％）の算出≫
各標識化抗体分散液を３０℃で５日間保存した場合の保存性の検討として、下記式（ＩＩ）を用いて、ブランク上昇率（％）を算出した。【００８６】
｛（標識化抗体分散液を３０℃で５日間保存した場合のブランク値）／（標識化抗体分散液作成直後のブランク値）−１｝×１００・・・式（ＩＩ）
表２に、それぞれの実施例および比較例で用いた標識化抗体分散液における各界面活性剤の分類、初期性能値（Ｓ／Ｎ比）および各分散液の３０℃で５日間保存した場合の保存性についての結果を示す。【００８７】
【表２】
2019182130.tif 000003
【００８８】
図１は、標識化抗体分散液中の界面活性剤の違いによる初期性能を比較した結果を示すグラフである。縦軸にＳ／Ｎ比、横軸に界面活性剤の種類を示す。【００８９】
図２は、標識化抗体分散液中の界面活性剤の違いによる保存性を比較した結果を示すグラフである。縦軸に３０℃で５日間保存後のブランク上昇率、横軸に界面活性剤の種類を示す。
〔実験例２〕
実施例２および比較例２
≪標識化抗体分散液の調製≫
非イオン性界面活性剤である、Ｔｗｅｅｎ２０とＴｒｉｔｏｎＸ−１００を、それぞれ表３に記載の量用いた以外は、実験例１と同様の手法にて標識化抗体分散液を調製した。
≪測定の実施・Ｓ／Ｎ比およびブランク上昇率（％）の算出≫
実験例１と同様に測定を行い、得られたシグナル値およびブランク値からＳ／Ｎ比およびブランク上昇率（％）を算出した。【００９０】
表３に、非イオン界面活性剤の種類と濃度、初期性能値（Ｓ／Ｎ比）および各分散液の３０℃で５日間保存した場合の保存性についての結果を示す。
【００９１】
【表３】
2019182130.tif 000004
【００９２】
〔実験例３〕
実施例３および比較例３
≪標識化抗体分散液の調製≫
還元処理された抗体分散液１モルに対して、前記蛍光色素分散液を２０モル等量混合した以外は、実験例１と同様に蛍光標識化抗体分散液を調製した。なお、実施例においては蛍光標識化抗体分散液の濃度の調整において０．１５％のＴｗｅｅｎ２０−ＰＢＳを用い、比較例においてはＰＢＳを用いた。標識率は５．１であった。【００９３】
≪測定の実施・Ｓ／Ｎ比およびブランク上昇率（％）の算出≫
測定領域に、市販のｃＴｎＩコントロール試薬（Ｂｉｏｒａｄ社製）を９．５ｎｇ／Ｌ含むＰＢＳ溶液を送液したこと以外は、実験例１と同様の操作を行った。【００９４】
なお、実験例１および２と、実験例３とでは、標識率が異なるが、両者の保存性に差がないことは確認されている。この理由として、発明者は、抗体の還元条件が同じであるため、還元（標識）による抗体へのダメージが同程度であるからではないかと推察している。【００９５】
表４に、Ｔｗｅｅｎ２０の濃度、および４℃または３０℃で０〜２９日間保存した場合の各保存日数におけるブランク値（０ｎｇ／Ｌ）およびシグナル値（９．５ｎｇ／Ｌ）の測定結果を示す。【００９６】
【表４】
2019182130.tif 000005
【００９７】
前記ブランク値およびシグナル値を用いて、実験例１と同様にＳ／Ｎ比を算出した。表５に、Ｔｗｅｅｎ２０の濃度、および４℃または３０℃で０〜２９日間保存した場合の各保存日数におけるＳ／Ｎ比を示す。【００９８】
【表５】
2019182130.tif 000006
【００９９】
≪ブランク値およびシグナル値の変動率（％）の算出≫
標識化抗体分散液の保存日数が０日のブランク値を基準として、４℃または３０℃で、０〜２９日間保存した場合の各保存日数におけるブランク値（％）を、下記式（ＩＩＩ）を用いて、算出した。【０１００】
（標識化抗体分散液の保存日数が８〜２９日の各ブランク値）／（標識化抗体分散液の保存日数が０日のブランク値）×１００・・・式（ＩＩＩ）
シグナル値の変動率（％）は、上記式（ＩＩＩ）のブランク値をシグナル値に変えて、同様に算出した。【０１０１】
表６に、Ｔｗｅｅｎ２０の濃度、および４℃または３０℃で０〜２９日間保存した場合の各保存日数におけるブランク値およびシグナル値の変動率（％）を示す。【０１０２】
【表６】
2019182130.tif 000007
【０１０３】
図３〜６に、上記表６に記載の、保存日数０日を基準とした場合のブランク値およびシグナル値の変動率（％）をグラフ化したものを示す。
【図１】
2019182130.tif 000008
【図２】
2019182130.tif 000009
【図３】
2019182130.tif 000010
【図４】
2019182130.tif 000011
【図５】
2019182130.tif 000012
【図６】
2019182130.tif 000013
【国際調査報告】
2019182130.tif 000014
2019182130.tif 000015
2019182130.tif 000016